(57)【特許請求の範囲】
【請求項１】
入力カラー画像の色再現域とカラー画像出力処理手段の色再現域が異なる場合の画像処理方法において、
前記カラー画像出力手段で使用する紙の色を測定し、色空間内における前記紙の色に対応する点を該色空間内に存在する前記カラー画像出力手段の色再現域内で最も明度の高い色点として、前記入力カラー画像の色再現域の各点を、前記カラー画像出力手段で使用する前記紙の色に対応する点に向かって、前記カラー画像出力手段の色再現域内に圧縮することを特徴とする画像処理方法。
【請求項２】
入力カラー画像の色再現域とカラー画像出力処理手段の色再現域が異なる画像処理装置において、
入力カラー画像信号を均等色空間カラー画像信号に変換する均等色空間カラー画像信号変換処理手段と、前記カラー画像出力処理手段で使用する紙の色を測定する紙色測定処理手段と、均等色空間内において前記紙の色に対応する点に向かって、前記入力カラー画像に対応する前記均等色空間カラー画像信号を圧縮して前記カラー画像出力処理手段の色再現域内の圧縮均等色空間カラー画像信号に変換する均等色空間カラー画像信号圧縮処理手段と、前記圧縮均等色空間カラー画像信号をカラー画像記録信号ＹＭＣに変換するとともに墨版信号Ｋを設定するカラー画像記録信号変換処理手段と、前記カラー画像記録信号ＹＭＣ及び前記墨版信号Ｋに基づいて出力画像を形成する前記カラー画像出力処理部を備えることを特徴とする画像処理装置。
【請求項３】
入力カラー画像の色再現域とカラー画像出力処理手段の色再現域が異なる画像処理装置において、
入力カラー画像信号を均等色空間カラー画像信号に変換する均等色空間カラー画像信号変換処理手段と、前記カラー画像出力処理手段で使用する紙を指定する紙指定処理手段と、均等色空間内において前記紙指定処理手段により指定された紙の色に対応する点に向かって、前記入力カラー画像に対応する前記均等色空間カラー画像信号を圧縮して前記カラー画像出力処理手段の色再現域内の圧縮均等色空間カラー画像信号に変換する均等色空間カラー画像信号圧縮処理手段と、前記圧縮均等色空間カラー画像信号をカラー画像記録信号ＹＭＣに変換するとともに墨版信号Ｋを設定するカラー画像記録信号変換処理手段と、前記カラー画像記録信号ＹＭＣ及び前記墨版信号Ｋに基づいて出力画像を形成する前記カラー画像出力処理手段を備えることを特徴とする画像処理装置。
【請求項４】
入力画像の色再現域とカラー画像出力処理手段の色再現域が異なる画像処理装置において、
入力画像をカラー画像信号ＲＧＢに変換するカラー画像入力処理手段と、前記カラー画像出力処理手段で使用する紙の色を測定する紙色測定処理手段と、ＲＧＢ空間内において前記紙の色に対応する点に向かって、前記入力画像に対応する前記カラー画像信号ＲＧＢを圧縮して前記カラー画像出力処理手段の色再現域内の圧縮カラー画像信号Ｒ’Ｇ’Ｂ’に変換するカラー画像信号圧縮処理手段と、前記圧縮カラー画像信号Ｒ’Ｇ’Ｂ’をカラー画像記録信号ＹＭＣに変換するとともに墨版信号Ｋを設定するカラー画像記録信号変換処理手段と、前記カラー画像記録信号ＹＭＣ及び前記墨版信号Ｋに基づいて出力画像を形成する前記カラー画像出力処理手段を備えることを特徴とする画像処理装置。
【請求項５】
入力画像の色再現域とカラー画像出力処理手段の色再現域が異なる画像処理装置において、
入力画像をカラー画像信号ＲＧＢに変換するカラー画像入力処理手段と、前記カラー画像出力処理手段で使用する紙を指定する紙指定処理手段と、ＲＧＢ空間内において前記紙指定処理手段により指定された紙の色に対応する点に向かって、前記入力画像に対応する前記カラー画像信号ＲＧＢを圧縮して前記カラー画像出力処理手段の色再現域内の圧縮カラー画像信号Ｒ’Ｇ’Ｂ’に変換するカラー画像信号圧縮処理手段と、前記圧縮カラー画像信号Ｒ’Ｇ’Ｂ’をカラー画像記録信号ＹＭＣに変換するとともに墨版信号Ｋを設定するカラー画像記録信号変換処理手段と、前記カラー画像記録信号ＹＭＣ及び前記墨版信号Ｋに基づいて出力画像を形成する前記カラー画像出力処理手段を備えることを特徴とする画像処理装置。
【発明の詳細な説明】
【０００１】
【産業上の利用分野】
本発明は、カラ−複写機、カラ−プリンタなどで使用される画像処理方法及び画像処理装置に関する。
【０００２】
【従来の技術】
従来から、カラ−画像を出力する画像出力装置として、カラ−ディスプレイ、カラ−印刷、カラ−写真、電子写真プリンタ、インクジェットプリンタなどが存在する。これらの画像出力装置は、それぞれ独自の色材または、発色機構を用いているため、再現できる色の範囲はそれぞれ異なる。例えば、カラ−ディスプレイに表示しているカラ−画像をプリンタに出力した場合、プリンタでは再現できない色が存在する。このようなカラ−プリンタの色再現域外の色を再現しようとすると、彩度差や階調差が失われて色がつぶれてしまいカラ−ディスプレイに表示しているカラ−画像本来の画質を著しく損ねてしまう。また同様に、銀塩写真と電子写真を比較した場合も、両者の色再現域の違いにより、銀塩写真の彩度の高い部分や、非常に暗い色の部分を電子写真で再現することは困難となる。
【０００３】
このような入力画像の色再現域と画像出力装置の色再現域が異なる場合に生じる彩度差、階調差の喪失や画質の劣化を防ぐことを目的とした画像処理方法及び画像処理装置が提案されている。例えば、特開昭６１−２８８６９０号公報や特開平４−１１３７７３号公報には、カラ−ディスプレイに表示されたカラ−画像本来の画質を損ねることなくカラ−プリンタに出力する方法が記載されている。特開昭６１−２８８６９０号公報には、色度図上の白色点を中心として、入力系の色再現域に対応する色のうち、出力系の色再現域外の色を出力系の色再現域内の色に圧縮写像する方法が記載されている。特開昭６１−２８８６９０号公報の方法では、色相を変えることなく圧縮写像するため、入力系と出力系の色再現域が異なる場合に良好な画像再現が可能となる。また、特開平４−１１３７７３号公報には、入力系の色再現域に対して出力系の色再現域が異なる場合、色度図上の重心に向かった圧縮により、画像出力装置の色再現域外の点を画像出力装置の色再現域内に圧縮写像する方法が記載されている。特開平４−１１３７７３号公報の方法では、入力系の色再現域に対して出力系の色再現域が異なる場合に生じる不具合を、出力系の色再現域の重心に向かって圧縮写像することによって解決しようとしている。
【０００４】
しかしながら、図７に示すように、特開昭６１−２８８６９０号公報の方法では、圧縮変換する際、色度図上の白色点を中心とするため、入力画像のハイライト部分の色（点Ａ）はさらに明るい色（点Ａ’）、つまり、カラ−プリンタの色再現域外に変換されてしまう。その結果、変換された入力画像のハイライト部はカラ−プリンタの色再現域を越えてしまい、色が再現できなくなる（白く飛んでしまう）。特開平４−１１３７７３号公報の方法では、特開昭６１−２８８６９０号公報のような、入力画像のハイライト部がカラ−プリンタの色再現域を越えてしまい、色が再現できなくなるという問題は生じない。しかし、図８に示すように、特開平４−１１３７７３号公報の方法では、すべての色がカラ−プリンタの色再現域の重心に向かって圧縮変換されるため、ハイライト部の色に対応する点Ｂは点Ｂ’に圧縮変換されてしまう。つまり、人の目につきやすいハイライト部の色は圧縮変換後暗く濁ってしまう。そのため、圧縮変換後の画像は、全体として暗く濁ったように再現されてしまい、入力画像本来の画質を著しく損なう。
【０００５】
【発明が解決しようとする課題】
この発明は、上記のような点に鑑みてなされたものであり、画像出力装置で使用する紙の色に基づいて、画像出力装置の色再現域の最も明度の高い点に向かって入力画像の色を圧縮することにより入力画像のハイライト部の色を忠実に再現すると同時に彩度の高い色や暗い色の彩度差、階調差を自然に再現することを目的とする。
【０００６】
【課題を解決するための手段】
請求項１記載の発明は、入力カラー画像の色再現域とカラー画像出力処理手段の色再現域が異なる場合の画像処理方法において、前記カラー画像出力手段で使用する紙の色を測定し、色空間内における前記紙の色に対応する点を該色空間内に存在する前記カラー画像出力手段の色再現域内で最も明度の高い色点として、前記入力カラー画像の色再現域の各点を、前記カラー画像出力手段で使用する前記紙の色に対応する点に向かって、前記カラー画像出力手段の色再現域内に圧縮する画像処理方法とした。
【０００７】
請求項２記載の発明は、入力カラー画像の色再現域とカラー画像出力処理手段の色再現域が異なる画像処理装置において、入力カラー画像信号を均等色空間カラー画像信号に変換する均等色空間カラー画像信号変換処理手段と、前記カラー画像出力処理手段で使用する紙の色を測定する紙色測定処理手段と、均等色空間内において前記紙の色に対応する点に向かって、前記入力カラー画像に対応する前記均等色空間カラー画像信号を圧縮して前記カラー画像出力処理手段の色再現域内の圧縮均等色空間カラー画像信号に変換する均等色空間カラー画像信号圧縮処理手段と、前記圧縮均等色空間カラー画像信号をカラー画像記録信号ＹＭＣに変換するとともに墨版信号Ｋを設定するカラー画像記録信号変換処理手段と、前記カラー画像記録信号ＹＭＣ及び前記墨版信号Ｋに基づいて出力画像を形成する前記カラー画像出力処理部を備える画像処理装置とした。
【０００８】
請求項３記載の発明は、入力カラー画像の色再現域とカラー画像出力処理手段の色再現域が異なる画像処理装置において、入力カラー画像信号を均等色空間カラー画像信号に変換する均等色空間カラー画像信号変換処理手段と、前記カラー画像出力処理部で使用する紙を指定する紙指定処理手段と、均等色空間内において前記紙指定処理手段により指定された紙の色に対応する点に向かって、前記入力画像に対応する前記均等色空間カラー画像信号を圧縮して前記カラー画像出力処理部の色再現域内の圧縮均等色空間カラー画像信号に変換する均等色空間カラー画像信号圧縮処理手段と、前記圧縮均等色空間カラー画像信号をカラー画像記録信号ＹＭＣに変換するとともに墨版信号Ｋを設定するカラー画像記録信号変換処理手段と、前記カラー画像記録信号ＹＭＣ及び前記墨版信号Ｋに基づいて出力画像を形成する前記カラー画像出力処理手段を備える画像処理装置とした。
【０００９】
請求項４記載の発明は、入力画像の色再現域とカラー画像出力処理手段の色再現域が異なる画像処理装置において、入力画像をカラー画像信号ＲＧＢに変換するカラー画像入力処理手段と、前記カラー画像出力処理手段で使用する紙の色を測定する紙色測定処理手段と、ＲＧＢ空間内において前記紙の色に対応する点に向かって、前記入力画像に対応する前記カラー画像信号ＲＧＢを圧縮して前記カラー画像出力処理手段の色再現域内の圧縮カラー画像信号Ｒ’Ｇ’Ｂ’に変換するカラー画像信号圧縮処理手段と、前記圧縮カラー画像信号Ｒ’Ｇ’Ｂ’をカラー画像記録信号ＹＭＣに変換するとともに墨版信号Ｋを設定するカラー画像記録信号変換処理手段と、前記カラー画像記録信号ＹＭＣ及び前記墨版信号Ｋに基づいて出力画像を形成する前記カラー画像出力処理手段を備える画像処理装置とした。
【００１０】
請求項５記載の発明は、入力画像の色再現域とカラー画像出力処理手段の色再現域が異なる画像処理装置において、入力画像をカラー画像信号ＲＧＢに変換するカラー画像入力処理手段と、前記カラー画像出力処理手段で使用する紙を指定する紙指定処理手段と、ＲＧＢ空間内において前記紙指定処理手段により指定された紙の色に対応する点に向かって、前記入力画像に対応する前記カラー画像信号ＲＧＢを圧縮して前記カラー画像出力処理手段の色再現域内の圧縮カラー画像信号Ｒ’Ｇ’Ｂ’に変換するカラー画像信号圧縮処理手段と、前記圧縮カラー画像輝度信号Ｒ’Ｇ’Ｂ’をカラー画像記録信号ＹＭＣに変換するとともに墨版信号Ｋを設定するカラー画像記録信号変換処理手段と、前記カラー画像記録信号ＹＭＣ及び前記墨版信号Ｋに基づいて出力画像を形成する前記カラー画像出力処理手段を備える画像処理装置とした。
【００１１】
【作用】
請求項１記載の発明は、色空間内で、画像出力装置の色再現域の最も明度の高い点に向かって圧縮することにより、入力画像の色再現域の色は画像出力装置の色再現域内に圧縮変換される。
【００１２】
請求項２記載の発明は、画像出力装置で使用する紙の色を測定して、色空間内の、この紙の色に対応する点に向かって圧縮することにより、入力画像の色再現域の色は画像出力装置の色再現域内に圧縮変換される。
【００１３】
請求項３記載の発明は、画像出力装置で使用する紙を指定して、色空間内の、指定された紙の色に対応する点に向かって圧縮することにより、入力画像の色再現域の色は画像出力装置の色再現域内に圧縮変換される。
【００１４】
請求項４記載の発明は、画像出力装置で使用する紙の色を測定して、カラ−画像信号ＲＧＢを均等色空間カラ−画像信号に変換することなく、色空間内の、使用する紙の色に対応した点に向かって、入力画像の色再現域の色を画像出力装置の色再現域内に圧縮変換する。
【００１５】
請求項５記載の発明は、画像出力装置で使用する紙を指定して、カラ−画像信号ＲＧＢを均等色空間カラ−画像信号に変換することなく、色空間内の、指定された紙の色に対応した点に向かって、入力画像の色再現域の色を画像出力装置の色再現域内に圧縮変換する。
【００１６】
【実施例】
以下、本発明の実施例を説明する。
請求項１及び請求項２記載の発明を図１から図３の実施例に基づいて説明する。図１にＬ＊ａ＊ｂ＊空間における入力画像の色再現域とカラ−プリンタの色再現域を示す。図２に請求項１記載の発明の画像処理方法のフロ−チャ−トを示す。図３に請求項２記載の発明の画像処理装置のブロック図を示す。
【００１７】
本来、Ｌ＊ａ＊ｂ＊空間においてカラ−プリンタの色再現域は三次元であるが、本実施例では簡単のため二次元で考える。図１に示すように、カラ−プリンタで使用する紙の色が白色であるとすると、カラ−プリンタの色再現域内で最も明度の高い点は、この紙の色に対応している。カラ−プリンタの色再現域と入力画像の色再現域が異なる場合、色空間内のカラ−プリンタの色再現域の最も明度の高い点、つまり、白色である紙の色に対応する点に向かって圧縮する。カラ−プリンタの色再現域外の点Ｃは、カラ−プリンタの色再現域内の点Ｃ’に変換される。また、入力画像のハイライト部分に位置する点Ｄは、カラ−プリンタの色再現域内の点Ｄ’に変換される。このように、カラ−プリンタの色再現域の最も明度の高い点に向かって圧縮することにより、カラ−プリンタの色再現域外の色は、カラ−プリンタの色再現域内に変換されるが、入力画像のハイライト部の色は、圧縮により大きな変化を生じることはない。
【００１８】
次に、請求項１記載の発明を図２のフロ−チャ−トに基づいて説明する。
まず、スキャナ等で実現される画像入力装置で入力画像をカラ−画像信号ＲＧＢに変換する（Ｓ１）。さらに、このカラ−画像信号ＲＧＢを均等色空間カラ−画像信号Ｌ＊ａ＊ｂ＊に変換する（Ｓ２）。一方、測色計により、画像出力装置で使用する白色紙の色を測定し、この白色紙の色の対応するＬ＊ａ＊ｂ＊値である（Ｌ＊ｐ，ａ＊ｐ，ｂ＊ｐ）を求めておく（Ｓ６）。次に、Ｌ＊ａ＊ｂ＊空間において、この白色紙の色に向かって圧縮することにより、入力画像に対応する均等色空間カラ−画像信号Ｌ＊ａ＊ｂ＊を画像出力装置の色再現域内の圧縮均等色空間カラ−画像信号Ｌ＊’ａ＊’ｂ＊’に圧縮する（Ｓ３）。この圧縮された圧縮均等色空間カラ−画像信号Ｌ＊’ａ＊’ｂ＊’をカラ−画像記録信号ＹＭＣに変換するとともに、このカラ−画像記録信号ＹＭＣに基づく墨版処理等により墨版信号Ｋを設定する（Ｓ４）。カラ−プリンタ等の画像出力装置において、この変換されたカラ−画像記録信号ＹＭＣ及び墨版信号Ｋを基に出力画像を形成する（Ｓ５）。
【００１９】
図２の本実施例では、画像出力装置で使用する白色紙の色、（Ｌ＊ｐ，ａ＊ｐ，ｂ＊ｐ）値を測定して、Ｌ＊ａ＊ｂ＊空間で圧縮を行なったが、他のカラ−画像信号を用いても良い。例えば、カラ−画像信号ＲＧＢ、Ｌ＊ｕ＊ｖ＊等、又は、その他のカラ−画像信号を用いた圧縮でも良い。
【００２０】
次に、請求項２記載の発明を図３の実施例に基づいて説明する。まず、カラ−画像入力処理部１で、入力画像をＮＴＳＣに準ずるカラ−画像信号ＲＧＢに変換する。さらに、式（１）から式（４）に基づく均等色空間カラ−画像信号変換処理部２により、カラ−画像信号ＲＧＢを均等色空間カラ−画像信号Ｌ＊ａ＊ｂ＊に変換する。
【００２１】
【数１】
0003666931.tif 000002
【００２２】
【数２】
0003666931.tif 000003
【００２３】
【数３】
0003666931.tif 000004
【００２４】
【数４】
0003666931.tif 000005
【００２５】
一方、測色計などで実現される紙色測定処理部６は、カラ−画像出力処理部５で使用する白色紙の色を測定し、この白色紙の色に対応する均等色空間カラ−画像信号Ｌ＊ａ＊ｂ＊値（Ｌ＊ｐ，ａ＊ｐ，ｂ＊ｐ）を出力する。均等色空間カラ−画像信号変換処理部２により変換された入力画像に対応する均等色空間カラ−画像信号Ｌ＊ａ＊ｂ＊と、白色紙の色の（Ｌ＊ｐ，ａ＊ｐ，ｂ＊ｐ）値は、均等色空間カラ−画像信号圧縮処理部３に入力される。続いて、均等色空間カラ−画像信号圧縮処理部３は、式（５）から式（７）に基づく演算により、入力した均等色空間カラ−画像信号Ｌ＊ａ＊ｂ＊を圧縮均等色空間カラ−画像信号Ｌ＊’ａ＊’ｂ＊’に圧縮する。
【００２６】
Ｌ’＝（Ｌ−Ｌｐ）α＋Ｌｐ      （５）
【００２７】
ａ’＝（ａ−ａｐ）α＋ａｐ      （６）
【００２８】
ｂ’＝（ｂ−ｂｐ）α＋ｂｐ      （７）
【００２９】
ここで、Ｌ，ａ，ｂは均等色空間カラ−画像信号圧縮処理部３に入力される入力画像に対応した均等色空間カラ−画像信号の値、Ｌｐ，ａｐ，ｂｐはカラ−画像出力処理部５で使用する白色紙の色に対応した均等色空間カラ−画像信号の値、αは圧縮率、Ｌ’，ａ’，ｂ’は圧縮後の圧縮均等色空間カラ−画像信号の値である。
【００３０】
カラ−画像記録信号変換処理部４は、均等色空間カラ−画像信号圧縮処理部３により圧縮された圧縮均等色空間カラ−画像信号Ｌ＊’ａ＊’ｂ＊’をカラ−画像記録信号ＹＭＣに変換すると同時に、このカラ−画像記録信号ＹＭＣに基づいた墨版処理等により墨版信号Ｋを設定する。次に、カラ−画像出力処理部５は、カラ−画像記録信号ＹＭＣ及び墨版信号Ｋに基づいて、出力画像を形成する。
【００３１】
式（５）から式（７）の圧縮処理では、線形演算によって圧縮を実現しているが、圧縮率αを、白色紙の色と均等色空間カラ−画像信号の色差の関数とすることにより、非線形演算による圧縮処理とすることもできる。圧縮処理を非線形演算にすれば、色差が目立ちやすいハイライト部は、上記実施例に示した線形演算による圧縮処理以上に忠実な色再現が可能となる。
【００３２】
次に、請求項３記載の発明を図４の実施例に基づいて説明する。
図４は、請求項２記載の発明の実施例である図３の紙色測定処理部６を、紙指定処理部１６に置き換えたものである。カラ−プリンタやカラ−複写機に使用する紙は、色の再現性を重視するために、ある程度限定されている。そこで、あらかじめ、使用する白色紙に対応する均等色空間カラ−画像信号Ｌ＊ａ＊ｂ＊の値、つまり、（Ｌ＊ｐ，ａ＊ｐ，ｂ＊ｐ）を紙指定処理部１６に記憶しておく。請求項１及び請求項２記載の発明の実施例と同様に、カラ−画像入力処理部１１は、入力画像をカラ−画像信号ＲＧＢに変換する。均等色空間カラ−画像信号変換処理部１２は、式（１）及び式（４）に基づいて、入力画像に対応するカラ−画像信号ＲＧＢを均等色空間カラ−画像信号Ｌ＊ａ＊ｂ＊に変換する。
【００３３】
一方、紙指定処理部１６は、使用する白色紙の色に対応する均等色空間カラ−画像信号Ｌ＊ａ＊ｂ＊の値、つまり、（Ｌ＊ｐ，ａ＊ｐ，ｂ＊ｐ）をあらかじめ記憶してあり、指定されたカラ−画像出力処理部１５で使用する白色紙に対応する（Ｌ＊ｐ，ａ＊ｐ，ｂ＊ｐ）値を均等色空間カラ−画像信号圧縮処理部１３に出力する。
【００３４】
均等色カラ−画像信号圧縮処理部１３は、式（５）から式（７）に基づく圧縮演算により、紙指定処理部１６から出力された白色紙の色に対応する（Ｌ＊ｐ，ａ＊ｐ，ｂ＊ｐ）値に向かって、均等色空間カラ−画像信号変換処理部１２で変換された均等色空間カラ−画像信号Ｌ＊ａ＊ｂ＊を圧縮均等色空間カラ−画像信号Ｌ＊’ａ＊’ｂ＊’に圧縮する。カラ−画像記録信号変換処理部１４は、圧縮均等色空間カラ−画像信号Ｌ＊’ａ＊’ｂ＊’をカラ−画像記録信号ＹＭＣに変換するとともに、このカラ−画像記録信号ＹＭＣに基づく墨版処理等により墨版信号Ｋを設定する。カラ−画像出力処理部１５は、カラ−画像記録信号ＹＭＣ及び墨版信号Ｋに基づいて出力画像を形成する。
【００３５】
上記実施例では、均等色空間としてＬ＊ａ＊ｂ＊を用いたが、Ｌ＊ｕ＊ｖ＊を用いても良い。
【００３６】
請求項４記載の発明を図５の実施例に基づいて説明する。
まず、カラ−画像入力処理部２１は、入力画像をカラ−画像輝度信号ＲＧＢに変換する。一方、紙色測定処理部２６は、カラ−画像出力処理部２５で使用する白色紙の色を測定し、白色紙の色に対応したカラ−画像輝度信号ＲｐＧｐＢｐを得るとともに、このカラ−画像輝度信号ＲｐＧｐＢｐをカラ−画像輝度信号Ｒ’Ｇ’Ｂ’圧縮処理部２２に出力する。式（８）から式（１０）で表されるカラ−画像輝度信号Ｒ’Ｇ’Ｂ’圧縮処理部２２は、ＲＧＢ空間において、紙色測定処理部２６で得られた白色紙の色に対応したカラ−画像輝度信号ＲｐＧｐＢｐに向かって、カラ−画像入力処理部２１で得られたカラ−画像輝度信号ＲＧＢをカラ−画像輝度信号Ｒ’Ｇ’Ｂ’に圧縮する。
【００３７】
Ｒ’＝（Ｒ−Ｒｐ）β＋Ｒｐ      （８）
【００３８】
Ｇ’＝（Ｇ−Ｇｐ）β＋Ｇｐ      （９）
【００３９】
Ｂ’＝（Ｂ−Ｂｐ）β＋Ｂｐ      （１０）
【００４０】
ここで、ＲＧＢは入力画像に対応するカラ−画像輝度信号の値、βは圧縮率、Ｒ’Ｇ’Ｂ’は圧縮後のカラ−画像輝度信号の値、ＲｐＧｐＢｐはカラ−画像出力処理部２５で使用する白色紙の色に対応するカラ−画像輝度信号の値である。この時、カラ−画像出力処理部２５で使用する白色紙の種類が既知である場合、これらの白色紙の色に対応するテ−ブルを設定しておき、このテ−ブルを利用した圧縮演算でも良い。
【００４１】
カラ−画像濃度信号Ｒ”Ｇ”Ｂ”変換処理部２３は、圧縮されたカラ−画像輝度信号Ｒ’Ｇ’Ｂ’をカラ−画像濃度信号Ｒ”Ｇ”Ｂ”に変換する。カラ−画像記録信号変換処理部２４は、このカラ−画像濃度信号Ｒ”Ｇ”Ｂ”をカラ−画像記録信号ＹＭＣに変換するとともに、このカラ−画像記録信号ＹＭＣに基づく墨版処理等により墨版信号Ｋを設定する。カラ−画像出力処理部２５は、カラ−画像記録信号ＹＭＣ及び墨版信号Ｋに基づいて出力画像を形成する。
【００４２】
請求項５記載の発明を図６の実施例に基づいて説明する。
図６は、図５に示した請求項４記載の発明の実施例における紙色測定処理部２６を紙指定処理部３６で置き換えたものである。請求項３記載の発明の実施例で説明したように、カラ−プリンタやカラ−複写機に使用する白色紙は、色の再現性を重視するため、ある程度限定される。従って、紙指定処理部３６は、使用する白色紙の色に対応するカラ−画像輝度信号ＲｐＧｐＢｐをあらかじめ記憶してある。カラ−画像入力処理部３１は、入力画像をカラ−画像輝度信号ＲＧＢに変換する。一方、紙指定処理部３６は、カラ−画像出力処理部３５で指定された白色紙に対応するカラ−画像輝度信号ＲｐＧｐＢｐをカラ−画像輝度信号Ｒ’Ｇ’Ｂ’圧縮処理部３２に出力する。続いて、カラ−画像輝度信号Ｒ’Ｇ’Ｂ’圧縮処理部３２は、色空間において、指定された白色紙のカラ−画像輝度信号ＲｐＧｐＢｐに向かって、入力画像に対応するカラ−画像輝度信号ＲＧＢをカラ−画像輝度信号Ｒ’Ｇ’Ｂ’に圧縮する。カラ−画像濃度信号Ｒ”Ｇ”Ｂ”変換処理部３３は、カラ−画像輝度信号Ｒ’Ｇ’Ｂ’をカラ−画像濃度信号Ｒ”Ｇ”Ｂ”に変換する。さらに、カラ−画像記録信号変換処理部３４は、カラ−画像濃度信号Ｒ”Ｇ”Ｂ”をカラ−画像記録信号ＹＭＣに変換するとともに、このカラ−画像記録信号ＹＭＣに基づく墨版処理等により墨版信号Ｋを設定する。カラ−画像出力処理部３５は、カラ−画像記録信号ＹＭＣ及び墨版信号Ｋに基づいて出力画像を形成する。
【００４３】
請求項２から請求項５記載の発明の実施例では、各処理部を別々に設けたが、これらの複数の処理部を一体化することにより、複数の処理を一つの処理部で同時に行なってもよい。
【発明の効果】
【００４４】
請求項１及び請求項２記載の発明によれば、使用する紙の色を測定し、画像出力装置の色再現域の最も明度の高い点に向かって、入力画像に対応するカラ−画像信号を圧縮することにより、使用する白色紙の色に対応した色再現ができる。すなわち、入力画像のハイライト部を忠実に色再現ができるうえ、入力画像の高彩度部、ダ−ク部の彩度差や階調差を保つことができる。
【００４５】
請求項３記載の発明によれば、使用する白色紙の色に対応した色再現ができると共に、あらかじめ、使用する白色紙の色に対応するカラ−画像信号を記憶しておくため、処理速度が向上し、より安価な画像処理装置を構成することができる。
【００４６】
請求項４記載の発明によれば、請求項２記載の発明の効果に加え、カラ−画像信号ＲＧＢから均等色空間カラ−画像信号Ｌ＊ａ＊ｂ＊に変換しないため、より簡単な構成で安価な画像処理装置を実現することができる。
【００４７】
請求項５記載の発明によれば、請求項３、４記載の発明の効果、つまり、カラ−画像出力処理部で使用する白色紙に対応した色再現ができると共に、処理速度が向上し、より簡単な構成で安価な画像処理装置を実現することができる。
【図面の簡単な説明】
【図１】Ｌ＊ａ＊ｂ＊色空間における入力画像とカラ−プリンタの色再現域を示す図である。
【図２】請求項１記載の発明の実施例を示すフロ−チャ−トである。
【図３】請求項２記載の発明の実施例を示す図である。
【図４】請求項３記載の発明の実施例を示す図である。
【図５】請求項４記載の発明の実施例を示す図である。
【図６】請求項５記載の発明の実施例を示す図である。
【図７】従来の圧縮写像を示す図である。
【図８】従来の圧縮写像を示す図である。
【符号の説明】
１，１１，２１，３１    カラ−画像入力処理部
２，１２                均等色空間カラ−画像信号変換処理部
３，１３                均等色空間カラ−画像信号圧縮処理部
４，１４，２４，３４    カラ−画像記録信号変換処理部
５，１５，２５，３５    カラ−画像出力処理部
６，２６                紙色測定処理部
１６，３６              紙指定処理部
２２，３２              カラ−画像輝度信号Ｒ’Ｇ’Ｂ’圧縮処理部
２３、３３              カラ−画像濃度信号Ｒ”Ｇ”Ｂ”変換処理部。
【図１】
0003666931.tif 000006
【図２】
0003666931.tif 000007
【図３】
0003666931.tif 000008
【図４】
0003666931.tif 000009
【図５】
0003666931.tif 000010
【図６】
0003666931.tif 000011
【図７】
0003666931.tif 000012
【図８】
0003666931.tif 000013